(57)【要約】      （修正有）【課題】遊技媒体の貸し出し段階でも利用者に興趣を付与することができる遊技媒体貸出装置を提供する。【解決手段】ルーレット駆動装置２８によるルーレット動作では、ルーレット盤６における全ての発光素子Ｌが順番に点滅されることで、ある１つの発光点があたかも縦長楕円環状の軌跡を描きながら走行して、環状発光素子群９の内周部の特別当選発光素子Ｌ０の位置へ一旦移行して、再び縦長楕円環状の軌跡を描いて走行するという、一連の点灯動作が創り出される。制御装置２９は、特別当選モードの実行時には特別当選発光素子Ｌ０を、一等当選モードの実行時には一等当選発光素子Ｌ１，Ｌ２のいずれか１つを、二等当選モードの実行時には二等当選発光素子Ｌ３，Ｌ４のいずれか１つを、三等当選モードの実行時には三等当選発光素子Ｌ５〜Ｌ８のいずれか１つを、そのルーレット動作で最終点灯すべき旨をルーレット駆動装置２８に対して指示する。【選択図】図２
0003119560.tif 000002
【実用新案登録請求の範囲】
【請求項１】
幅狭且つ縦長状の前面部を有する筐体と、
その筐体の前面部に設けられ有価媒体の投入を受ける投入口と、
その投入口へ投入された有価媒体の価値を判定する価値判定装置と、
その価値判定装置により判定された価値に相当する数の遊技媒体を貸し出すという通常モードで動作することが可能な貸出処理装置と、
前記筐体の前面部に複数の発光素子を縦長楕円環状に点在して配置することで形成される環状発光素子群を有しているルーレット装置と、
そのルーレット装置における複数の発光素子の中の少なくとも１つの発光素子であって当選した場合に点灯される当選発光素子と、
その当選発光素子を含めた前記ルーレット装置の各発光素子を順番に点滅させて且つ最終的に１つの発光素子のみを点灯させるルーレット動作を、前記価値判定装置により有価媒体の価値が確認された場合に実行するルーレット駆動装置と、
そのルーレット駆動装置によって前記ルーレット装置のルーレット動作が実行される場合に、所定条件の下で、そのルーレット駆動装置に対して前記当選発光素子を最終的に点灯することを指示し、更に、前記貸出処理装置に対して前記通常モードよりも多数の遊技媒体を貸し出すように指示する制御装置とを備えていることを特徴とする遊技媒体貸出装置。
【請求項２】
前記当選発光素子は、その当選発光素子を除いた前記環状発光素子群の各発光素子とは異なる発光色を有するものであることを特徴とする請求項１記載の遊技媒体貸出装置。
【請求項３】
前記ルーレット装置は、前記環状発光素子群における複数の発光素子が略等角間隔で配置されているものであることを特徴とする請求項１又は２に記載の遊技媒体貸出装置。
【請求項４】
前記当選発光素子は、前記環状発光素子群の長軸方向両側に配置される上下一対の発光素子と、その環状発光素子群の短軸方向両側に配置される左右一対の発光素子とからなることを特徴とする請求項３記載の遊技媒体貸出装置。
【請求項５】
前記投入口に対する有価媒体の投入回数を計数する投入カウンタと、
前記通常モードよりも遊技媒体の貸出数が多くなる当選モードの発生確率と、その当選モードよりも遊技媒体の貸出数が更に多くなる特別当選モードの発生確率とを記憶する確率記憶装置とを備えており、
前記所定条件は、前記確率記憶装置に記憶されている当選モード又は特別当選モードの発生確率の逆数が、前記投入カウンタの計数値又はその計数値の約数と一致することを含むものであることを特徴とする請求項１から４のいずれかに記載の遊技媒体貸出装置。
【請求項６】
前記確率記憶装置に記憶されている当選モード又は特別当選モードの発生確率の設定を変更する設定変更装置を備えていることを特徴とする請求項５記載の遊技媒体貸出装置。
【請求項７】
前記当選発光素子は前記当選モードの場合に最終点灯される発光素子であり、
前記ルーレット装置は、前記当選発光素子とは別に前記環状発光素子群の内周部であって前記筐体の前面部に配置され、前記特別当選モードの場合に最終点灯される特別当選発光素子を備えており、
前記制御装置は、前記ルーレット装置がルーレット動作を実行する場合に、前記確率記憶装置に記憶されている前記特別当選モードの発生確率の逆数が前記投入カウンタの計数値と一致又はその計数値の約数となる条件が成立した下で、前記ルーレット駆動装置に対して前記特別当選発光素子を最終的に点灯することを指示し、更に、前記貸出処理装置に対して前記当選モードよりも多数の遊技媒体を貸し出すように指示するものであることを特徴とする請求項５又は６に記載の遊技媒体貸出装置。
【請求項８】
前記特別当選発光素子は、その発光色が前記環状発光素子群に含まれている他の全ての発光素子とは異なり、且つ、その発光範囲が前記環状発光素子群に含まれている他の全ての発光素子より大きくされていることを特徴とする請求項７記載の遊技媒体貸出装置。
【考案の詳細な説明】
【技術分野】
【０００１】
本考案は、パチンコ機やスロットマシンなどの各種遊技機を用いた遊技で使用される遊技球やメダルなどの遊技媒体を貸し出す遊技媒体貸出装置に関するものである。
【背景技術】
【０００２】
従来、ゲームセンターなどの遊技施設には、パチンコ機やスロットマシンなどの各種遊技機で使用されるパチンコ玉やメダルを貸し出すための玉貸機や、メダル貸機などが設置されており、これらの玉貸機やメダル貸機に対して硬貨や紙幣などの貨幣やプリペイドカードなどの有価媒体が投入されることで、その有価媒体の価値に相当する数の遊技媒体が利用者に対して貸し出されている。
【考案の開示】
【考案が解決しようとする課題】
【０００３】
しかしながら、上記した玉貸機やメダル貸機では、有価媒体の価値に相当する貸出数の遊技媒体しか貸し出されないので、パチンコ機やスロットマシンで遊技を行う利用者に特段の興趣を付与することができなかった。
【０００４】
そこで、本考案は、遊技媒体の貸し出し段階でも利用者に興趣を付与することができる遊技媒体貸出装置を提供することを目的としている。
【課題を解決するための手段】
【０００５】
この目的を達成するために請求項１記載の遊技媒体貸出装置は、幅狭且つ縦長状の前面部を有する筐体と、その筐体の前面部に設けられ有価媒体の投入を受ける投入口と、その投入口へ投入された有価媒体の価値を判定する価値判定装置と、その価値判定装置により判定された価値に相当する数の遊技媒体を貸し出すという通常モードで動作することが可能な貸出処理装置と、前記筐体の前面部に複数の発光素子を縦長楕円環状に点在して配置することで形成される環状発光素子群を有しているルーレット装置と、そのルーレット装置における複数の発光素子の中の少なくとも１つの発光素子であって当選した場合に点灯される当選発光素子と、その当選発光素子を含めた前記ルーレット装置の各発光素子を順番に点滅させて且つ最終的に１つの発光素子のみを点灯させるルーレット動作を、前記価値判定装置により有価媒体の価値が確認された場合に実行するルーレット駆動装置と、そのルーレット駆動装置によって前記ルーレット装置のルーレット動作が実行される場合に、所定条件の下で、そのルーレット駆動装置に対して前記当選発光素子を最終的に点灯することを指示し、更に、前記貸出処理装置に対して前記通常モードよりも多数の遊技媒体を貸し出すように指示する制御装置とを備えている。
【０００６】
この請求項１記載の遊技媒体貸出装置によれば、有価媒体が投入口へ投入されると、その有価媒体の価値が価値判定装置により判定される。そして、この判定によって有価媒体の価値が確認されると、ルーレット駆動装置によってルーレット装置によるルーレット動作が実行される。このルーレット動作では筐体前面部にある縦長楕円環状の環状発光素子群の各発光素子が順番に点滅されることによって、１つの発光点が、あたかも筐体前面部で縦長楕円環状の軌跡を描きながら走行するような状況が創出される。
【０００７】
そして、このルーレット動作が実行される場合に所定条件が成立していれば、そのルーレット動作を終了する際に当選発光素子を最終的に点灯させる指示が制御装置からルーレット駆動装置に対してなされ、なおかつ、通常モードよりも多数の遊技媒体を貸し出させる指示が制御装置から貸出処理装置に対してなされる。すると、指示を受けたルーレット駆動装置によって、ルーレット動作の終了時点でルーレット装置の当選発光素子が点灯されて利用者に当選したことが報知され、且つ、指示を受けた貸出処理装置によって、通常モードよりも多数の遊技媒体が貸し出される。
【０００８】
一方、ルーレット動作が実行される場合に所定条件が不成立ならば、そのルーレット動作の終了時点では、環状発光素子群のうち当選発光素子を除いた発光素子が最終的に点灯され、貸出処理装置が通常モードで動作されて、価値判定装置により判定された有価媒体の価値に相当する数の遊技媒体が貸し出される。
【０００９】
請求項２記載の遊技媒体貸出装置は、請求項１記載の遊技媒体貸出装置において、前記当選発光素子は、その当選発光素子を除いた前記環状発光素子群の各発光素子とは異なる発光色を有するものである。
【００１０】
この請求項２記載の遊技媒体貸出装置によれば、請求項１記載の遊技媒体貸出装置と同様な作用及び効果を奏することに加え、ルーレット装置における当選発光素子は他の発光素子とは異なる発光色を有するので、ルーレット動作中に当選発光素子を発光点が通過することを利用者に認識させやすく、この結果、ルーレット動作中の利用者の興趣を高めることができる。しかも、実際にルーレット動作の最終時に当選発光素子が点灯された場合には、その点灯を以て、ルーレットに当選したことを利用者に確実に知らせることもできる。
【００１１】
請求項３記載の遊技媒体貸出装置は、請求項１又は２に記載の遊技媒体貸出装置において、前記ルーレット装置は、前記環状発光素子群における複数の発光素子が略等角間隔で配置されているものである。
【００１２】
この請求項３記載の遊技媒体貸出装置によれば、請求項１又は２に記載の遊技媒体貸出装置と同様な作用及び効果を奏することに加え、ルーレット装置では、その環状発光素子群の各発光素子が縦長楕円環状を描くように略等角間隔で配置されるため、環状発光素子群の短軸方向両側にある各発光素子同士の配置間隔に比べて、環状発光素子群の長軸方向両側にある各発光素子同士の配置間隔の方が大きく且つ粗くされている。
【００１３】
このため、ルーレット駆動装置がルーレット装置の各発光素子をほぼ一定時間ずつ均一に点灯しながら各発光素子を順番に点滅させると、筐体前面部において縦長楕円環状を描いて走行する発光点が、環状発光素子群の短軸方向両側では遅く、なおかつ、環状発光素子群の長軸方向両側では速く走行するように見える。この結果、ルーレット装置における発光点の走行に緩急が付けられるので、ルーレット動作中における利用者が感じる興趣を高めることができる。
【００１４】
請求項４記載の遊技媒体貸出装置は、請求項３記載の遊技媒体貸出装置において、前記当選発光素子は、前記環状発光素子群の長軸方向両側に配置される上下一対の発光素子と、その環状発光素子群の短軸方向両側に配置される左右一対の発光素子とからなる。
【００１５】
この請求項４記載の遊技媒体貸出装置によれば、請求項３記載の遊技媒体貸出装置と同様な作用及び効果を奏することに加え、各当選発光素子が配置される環状発光素子群の長軸方向両側及び短軸方向両側は、ルーレット動作中の発光点の走行において最も緩急が生じる箇所であるので、ここを発光点が点灯通過する度に当選発光素子が最終点灯されるのではないかという期待感を利用者に与え、ルーレット動作中における利用者が感じる興趣を更に高めることができる。
【００１６】
請求項５記載の遊技媒体貸出装置は、請求項１から４のいずれかに記載の遊技媒体貸出装置において、前記投入口に対する有価媒体の投入回数を計数する投入カウンタと、前記通常モードよりも遊技媒体の貸出数が多くなる当選モードの発生確率と、その当選モードよりも遊技媒体の貸出数が更に多くなる特別当選モードの発生確率とを記憶する確率記憶装置とを備えており、前記所定条件は、前記確率記憶装置に記憶されている当選モード又は特別当選モードの発生確率の逆数が、前記投入カウンタの計数値又はその計数値の約数と一致することを含むものである。
【００１７】
この請求項５記載の遊技媒体貸出装置によれば、請求項１から４のいずれかに記載の遊技媒体貸出装置と同様な作用及び効果を奏することに加え、有価媒体が投入口へ投入された回数が投入カウンタによって計数され、その計数値又はその計数値の約数が確率記憶装置に記憶されている当選モード又は特別当選モードの発生確率の逆数と一致すると、制御装置によって、ルーレット駆動装置に対して当選発光素子を最終的に点灯するように指示がなされ、更に、前記貸出処理装置に対して当選モード又は特別当選モードで動作するように指示がなされる。
【００１８】
この結果、貸出処理装置は、当選モードで動作する場合に通常モードのときよりも多数の遊技媒体を貸し出す一方、特別当選モードで動作する場合に当選モードのときよりも多数の遊技媒体を貸し出す。つまり、この貸出処理装置によれば、通常モードの動作時に比べて、当選モード及び特別当選モードの動作時の方が、実際に投入口へ投入された有価媒体の価値よりも多くの遊技媒体が貸し出され、しかも、当選モードに比べれば特別当選モードの方がより多くの遊技媒体の貸し出しを受けることができることとなる。
【００１９】
請求項６記載の遊技媒体貸出装置は、請求項５記載の遊技媒体貸出装置において、前記確率記憶装置に記憶されている当選モード又は特別当選モードの発生確率の設定を変更する設定変更装置を備えている
【００２０】
この請求項６記載の遊技媒体貸出装置によれば、請求項５記載の遊技媒体貸出装置と同様な作用及び効果を奏することに加え、設定変更装置によって、確率記憶設置に記憶されている当選モードの発生確率又は特別当選モードの発生確率の少なくとも一方を変更することができる。
【００２１】
請求項７記載の遊技媒体貸出装置は、請求項５又は６に記載の遊技媒体貸出装置において、前記当選発光素子は前記当選モードの場合に最終点灯される発光素子であり、前記ルーレット装置は、前記当選発光素子とは別に前記環状発光素子群の内周部であって前記筐体の前面部に配置され、前記特別当選モードの場合に最終点灯される特別当選発光素子を備えており、前記制御装置は、前記ルーレット装置がルーレット動作を実行する場合に、前記確率記憶装置に記憶されている前記特別当選モードの発生確率の逆数が前記投入カウンタの計数値と一致又はその計数値の約数となる条件が成立した下で、前記ルーレット駆動装置に対して前記特別当選発光素子を最終的に点灯することを指示し、更に、前記貸出処理装置に対して前記当選モードよりも多数の遊技媒体を貸し出すように指示するものである。
【００２２】
この請求項７記載の遊技媒体貸出装置によれば、請求項５又は６に記載の遊技媒体貸出装置と同様な作用及び効果を奏することに加え、投入口へ投入された有価媒体の価値が価値判定装置により判定されて確認されると、その有価媒体の投入が投入カウンタによって計数される一方で、ルーレット駆動装置によって、ルーレット装置のルーレット動作の実行が開始される。
【００２３】
このルーレット動作では、環状発光素子群に特別当選発光素子を合わせた各発光素子が順番に点滅されて、１つの発光点が、あたかも筐体前面部で縦長楕円環状の軌跡を描きながら走行してから、環状発光素子群の内周部へ一旦移行して、再び縦長楕円環状の軌跡を描いて走行するような一連の点灯動作が創出される。
【００２４】
そして、このルーレット動作が実行される場合に、投入カウンタの計数値又はその計数値の約数が確率記憶装置に記憶されている特別当選モードの発生確率の逆数と一致すると、制御装置によって、ルーレット駆動装置に対して特別当選発光素子を最終的に点灯するように指示がなされ、更に、前記貸出処理装置に対して特別当選モードで動作するように指示がなされる。
【００２５】
すると、指示を受けたルーレット駆動装置によって、ルーレット動作の終了時点でルーレット装置の特別当選発光素子が点灯されて利用者に特別当選が発生したことが報知され、且つ、指示を受けた貸出処理装置によって、特別当選モード時における所定の貸出数の遊技媒体が貸し出される。
【００２６】
しかも、特別当選発光素子は、環状発光素子群の内周に他の発光素子とは独立して配置されているので、それを点灯することで特別当選モードが発生したことを利用者に確実に報知することができる。
【００２７】
請求項８記載の遊技媒体貸出装置は、請求項７記載の遊技媒体貸出装置において、前記特別当選発光素子は、その発光色が前記環状発光素子群に含まれている他の全ての発光素子とは異なり、且つ、その発光範囲が前記環状発光素子群に含まれている他の全ての発光素子より大きくされている。
【００２８】
この請求項８記載の遊技媒体貸出装置によれば、請求項７記載の遊技媒体貸出装置と同様な作用及び効果を奏することに加え、ルーレット装置の特別当選発光素子は他の全発光素子とは異なる発光色で、且つ、他の全発光素子よりも発光範囲が大きいので、ルーレット動作中に特別当選発光素子を発光点が通過することを利用者に認識させやすく、この結果、ルーレット動作中の利用者の興趣をより一層高めることができる。しかも、実際にルーレット動作の最終時に当選発光素子が点灯された場合には、その点灯を以て、特別当選モードが発生したことを利用者に確実に知らせることができる。
【考案の効果】
【００２９】
本考案の遊技媒体貸出装置によれば、有価媒体の価値相当の遊技媒体を単に貸し出すだけの機能のみならず、筐体前面部に配置されるルーレット装置によるルーレット動作を通じて、視覚的な演出を利用者に与えて興趣を高めることができ、更に、利用者に対して有価媒体の価値を越える遊技媒体が貸し出されるかもしれないという期待感を与えて、遊技機で遊技する以前の遊技媒体の貸出し段階でも利用者を楽しませることができるという効果がある。また、ルーレット装置の環状発光素子群を縦長楕円環状に配置したことで、筐体前面部を幅狭状に形成できるので、遊技機と１台づつ交互に複数並設して遊技機列を構成する台間機として、遊技機間の狭いスペースにも容易に設置することができるという効果がある。
【考案を実施するための最良の形態】
【００３０】
以下、本考案の好ましい実施例について、添付図面を参照して説明する。図１は、本考案の遊技媒体貸出装置の一実施例である台間貸出機１を備えたスロットマシン５０の配置状態を示す正面図である。図１に示すように、複数台のスロットマシン５０と複数台の台間貸出機１とを交互に整列配置することによって、隣合うスロットマシン５０間には、そのスロットマシン５０よりも幅狭の台間貸出機１が介在されている。
【００３１】
台間貸出機１は、有価媒体である硬貨の金額価値（有価価値）に応じた枚数のメダル（遊技媒体）を、特定のスロットマシン（例えば図１中の左隣のスロットマシン）５０へ貸し出すための装置である。スロットマシン５０は、その上部に上部ランプ５１と、左右一対のスピーカ５２，５２とが設けられ、その中央部にリール表示窓５３と、メダル投入口５４と、３つのストップスイッチ５５，５６，５７とが設けられ、その下部にメダル払出口５８と、メダル受け皿５９とが設けられている。
【００３２】
なお、図中では、各スロットマシン５０と各台間貸出機１とは密に並べてあるが、台間貸出機１と貸出先の左隣のスロットマシン５０との間は密接させ、右隣のスロットマシン５０との間は隙間が存在するように配置してもよい。
【００３３】
図２は、台間貸出機１の拡大正面図である。図２に示すように、台間貸出機１は、正面視縦長矩形状の前面部２ａを有する筐体２を備えており、この筐体２の前面部２ａには、硬貨を投入するためのコイン投入口３が設けられている。コイン投入口３は、正面視略縦長矩形状の開口であり、その縦方向長さが硬貨の外径より大きくされている。また、コイン投入口３の下方には硬貨の返却レバー４が配設されており、この返却レバー４の下方には、硬貨の返却口である正面視略正方形状のコイン返却口５が開口形成されている。
【００３４】
ルーレット盤６は、筐体２の前面部２ａであってコイン投入口３の上方に配設されている。このルーレット盤６は筐体２の前面部２ａに取着される正面視略縦長矩形状の装飾板７を備えており、この装飾板７の表面上側には略縦長楕円環状で幅太の楕円環状ライン８が表示されている。この楕円環状ライン８の幅方向中央には、その楕円環状ライン８に沿ってＬＥＤなどの発光素子Ｌが縦長楕円環状に略等角間隔で複数点在して配置されており、これらの複数の発光素子Ｌによって環状発光素子群９が形成されている。
【００３５】
なお、本実施例のルーレット盤６の環状発光素子群９によれば、その環状発光素子群９の中心点回りに合計３６個の発光素子Ｌが略１０°間隔で略等角に点在されている。
【００３６】
また、ルーレット盤６の環状発光素子群９は、当選発光素子Ｌ１〜Ｌ８（図２中の黒丸）と通常発光素子ＬＮ（図２中の白丸）とに大別される。当選発光素子Ｌ１〜Ｌ８は、ルーレット盤６で実行される当選モード時のルーレット動作において最終点灯される発光素子Ｌであり、通常発光素子ＬＮは、ルーレット盤６で実行される通常モード時のルーレット動作において最終点灯される発光素子Ｌである。
【００３７】
ここで、通常モードは、コイン投入口３へ投入された硬貨の金額価値に相当する貸出枚数のメダルを貸し出すための動作モードであり、一方、当選モードは、通常モードの場合よりも多くのメダルを貸し出すための動作モードである。また、この当選モードは、更に、三種類の動作モードに細分化されており、具体的にはメダルの貸出枚数が多い順に一等当選モードと、二等当選モードと、三等当選モードとに細分化されている。
【００３８】
このため、環状発光素子群９の中の当選発光素子Ｌ１〜Ｌ８は、一等当選モードの場合に最終点灯される一等当選発光素子Ｌ１，Ｌ２と、二等当選モードの場合に最終点灯される二等当選発光素子Ｌ３，Ｌ４と、三等当選モードの場合に最終点灯される三等当選発光素子Ｌ５〜Ｌ８とに区分されている。具体的には、一等当選発光素子Ｌ１，Ｌ２が環状発光素子群９の長軸方向両側に配置される上下２個の発光素子Ｌであり、二等当選発光素子Ｌ３，Ｌ４が環状発光素子群９の短軸方向両側に配置される左右２個の発光素子Ｌであり、三等当選発光素子Ｌ５〜Ｌ８が一等当選発光素子Ｌ１，Ｌ２と二等当選発光素子Ｌ３，Ｌ４との中間部に配置される合計４個の発光素子Ｌである。
【００３９】
また、本実施例のルーレット盤６の環状発光素子群９によれば、当選発光素子Ｌ１〜Ｌ８を除いた残りの全ての発光素子Ｌが、合計２８個の通常発光素子ＬＮとなる。更に、上記した当選発光素子Ｌ１〜Ｌ８は、通常発光素子ＬＮとは異なる発光色を有しており、一等当選発光素子Ｌ１，Ｌ２が青色（ブルー）、二等当選発光素子Ｌ３，Ｌ４が橙色（オレンジ）、三等当選発光素子Ｌ５〜Ｌ８が黄色（イエロー）、通常発光素子ＬＮが緑色（グリーン）、で発光するようにされている。
【００４０】
そして、この当選発光素子Ｌ１〜Ｌ８及び後述する特別当選発光素子Ｌ０の発光色について利用者に対して予め説明表示するため、装飾板７の表面下側には説明欄１０が設けられている。また、この説明欄１０には、各発光色の発光素子Ｌ０〜Ｌ８が最終点灯された場合に、後述する貸出倍率メモリ２６に記憶されている各当選倍率に基づいて貸し出されるメダルの貸出枚数についても表示がなされている。
【００４１】
具体的に、この説明欄１０によれば、ルーレット動作で最終点灯される発光色が、赤色（特別当選発光素子Ｌ０）の場合に３５０枚、青色（一等当選発光素子Ｌ１，Ｌ２）の場合に１５０枚、橙色（二等当選発光素子Ｌ３，Ｌ４）の場合に５０枚、黄色（三等当選発光素子Ｌ５〜Ｌ８）の場合に３０枚、又は、緑色（通常発光素子ＬＮ）の場合に１０枚、のメダルが貸し出されることが表示されている。
【００４２】
また、ルーレット盤６の装飾板７には、上記した当選発光素子Ｌ１〜Ｌ８とは別に、環状発光素子群９の内周部略中央位置に特別当選発光素子Ｌ０（図２中央の黒丸）が１個配置されている。この特別当選発光素子Ｌ０は、環状発光素子群９と同じくルーレット盤６を構成する発光素子Ｌの１つであり、ルーレット盤６で実行される特別当選モード時のルーレット動作において最終点灯される発光素子Ｌである。ここで、特別当選モードは、当選モードの中でも最もメダルの貸出枚数の多い一等当選モードよりも更に多くのメダルを貸し出すための動作モードである。
【００４３】
また、特別当選発光素子Ｌ０は、上記したように赤色（レッド）の発光色を有しており、環状発光素子群９に含まれる他の全発光素子Ｌとは異なるものとされている。また、特別当選発光素子Ｌ０の発光範囲Ｄは、環状発光素子群９の各発光素子Ｌの発光範囲ｄよりも大きくされており、特別当選発光素子Ｌ０が点灯された場合に、他の発光素子Ｌに比べてより強調されるように構成されている。
【００４４】
図３は、台間貸出機１の筐体２内に配設される電気的構成を示すブロック図である。なお、本実施例で説明する台間貸出機１は、適正な１枚の硬貨がコイン投入口３へ投入される度に、ルーレット盤６を用いたルーレット動作を１回ずつ実行するように構成されたものである。
【００４５】
図３に示すように、台間貸出機１は、コイン投入口３から投入された硬貨を処理するためのコイン処理装置２１を備えている。このコイン処理装置２１は、コイン投入口３へ投入された硬貨の価値判定を行う価値判定装置２２を備えており、価値判定装置２２は、コイン投入口３から投入された硬貨の金額価値が適正である場合に投入カウンタ２３へ所定の信号を出力するものである。
【００４６】
このコイン処理装置２１によれば、価値判定装置２２によって、金額価値が不適正であると判定された硬貨はコイン返却口５から返却される一方、金額価値が適正であると判定された硬貨は筐体２内にある金庫（図示せず）内に回収される。例えば、価値判定装置２２が１００円硬貨を適正硬貨として処理するものである場合、コイン投入口３から投入された硬貨が、１００円硬貨ならば筐体２内の金庫へ回収される一方、１００円硬貨とは異なる別の硬貨ならばコイン返却口５から返却される。
【００４７】
投入カウンタ２３は、適正な硬貨がコイン投入口３へ投入された回数を累積的に計数する装置であり、具体的には、適正な硬貨を確認した場合に価値判定装置２２から投入カウンタ２３へ出力される所定信号が検知される度に、その計数値に「１」を加算するものである。また、メダル貸出処理装置２４は、後述する制御装置２９から指示される貸出枚数のメダルをスロットマシン５０のメダル払出口５８を通じてメダル受け皿５９へ供給して貸し出すための装置である。
【００４８】
当選確率メモリ２５は、各当選モードが発生する確率を、それぞれ記憶するための書換可能な不揮発性の記憶装置である。そして、図３に示す当選確率メモリ２５には、例えば、特別当選モードの発生確率（図中の特別当選確率）として「１／８１」が、一等当選モードの発生確率（図中の一等当選確率）として「１／４１」が、二等当選モードの発生確率（図中の二等当選確率）として「１／２１」が、三等当選モードの発生確率（図中の三等当選確率）として「１／１１」が、それぞれ記憶されている。
【００４９】
なお、図３に例示する当選確率メモリ２５の各確率値によれば、８１回のルーレット動作のうち１回が特別当選モードとなり、４１回のルーレット動作のうち１回が一等当選モードとなり、２１回のルーレット動作のうち１回が二等当選モードとなり、１１回のルーレット動作のうち１回が三等当選モードとなるものである。
【００５０】
貸出倍率メモリ２６は、通常モードで貸し出されるメダルの貸出枚数に対する各当選モードにおけるメダルの貸出枚数の倍率を、それぞれ記憶するための書換可能な不揮発性の記憶装置である。そして、図３に示す貸出倍率メモリ２６には、例えば、特別当選モードの発生時の貸出倍率（図中の特別当選倍率）として「３５倍」が、一等当選モードの発生時の貸出倍率（図中の一等当選倍率）として「１５倍」が、二等当選モードの発生時の貸出倍率（図中の二等当選倍率）として「５倍」が、三等当選モードの発生時の貸出倍率（図中の三等当選倍率）として「３倍」が、それぞれ記憶されている。
【００５１】
設定変更装置２７は、当選確率メモリ２５に記憶されている各種データ、及び、貸出倍率メモリ２６に記憶されている各種データを書き換えて設定変更するための装置であり、当選確率メモリ２５及び貸出倍率メモリ２６に接続されている。また、ルーレット駆動装置２８は、投入カウンタ２３の値が「１」増加した場合に、制御装置２９から指令を受けて、ルーレット盤６を駆動して１回のルーレット動作を実行する装置であり、ルーレット盤６の全発光素子Ｌと制御装置２９とにそれぞれ接続されている。
【００５２】
制御装置２９は、ルーレット駆動装置２８によって実行されるルーレット盤６のルーレット動作と、メダル貸出処理装置２４によって実行されるメダルの貸出処理とを制御するための装置であり、上記した投入カウンタ２３と、メダル貸出処理装置２４と、当選確率メモリ２５と、貸出倍率メモリ２６と、ルーレット駆動装置２８とに、それぞれ接続されている。
【００５３】
次に、上記のように構成された台間貸出機１の動作について説明する。まず、コイン投入口３から硬貨が投入されると、その硬貨は、コイン処理装置２１へ導入され、価値判定装置２２によって金額価値が判定される。そして、硬貨の金額価値が適正であることが確認されると、その硬貨はコイン処理装置２１の金庫に回収され、価値判定装置２２から所定信号が投入カウンタ２３へ出力される。そして、この価値判定装置２２からの所定信号が入力されると、投入カウンタ２３の計数値に「１」が加算されて、投入カウンタ２３の計数値が更新される。
【００５４】
このように投入カウンタ２３の計数値が更新されると、その更新の度ごとに、制御装置２９は、当選確率メモリ２５に記憶されている４種類の当選確率値の逆数と、投入カウンタ２３の計数値との比較処理を実行する。そして、特別当選確率の逆数が投入カウンタ２３の計数値又はその計数値の約数と一致する場合には特別当選モードが、一等当選確率の逆数が投入カウンタ２３の計数値又はその計数値の約数と一致する場合には一等当選モードが、二等当選確率の逆数が投入カウンタ２３の計数値又はその計数値の約数と一致する場合には二等当選モードが、三等当選確率の逆数が投入カウンタ２３の計数値又はその計数値の約数と一致する場合には三等当選モードが、或いは、それらと異なる場合には通常モードが、制御装置２９によって今回の動作モードとして選択される。
【００５５】
このようにして制御装置２９により今回の動作モードが選択されると、制御装置２９からルーレット駆動装置２８へ指示が出され、ルーレット盤６において１回分のルーレット動作が開始される。このルーレット駆動装置２８による１回分のルーレット動作では、前回のルーレット動作で最終点灯されていた発光素子Ｌから順番にルーレット盤６における全ての発光素子Ｌが点滅される。その結果、ルーレット盤６では、ある１つの発光点があたかも縦長楕円環状の軌跡を描きながら周回走行してから、環状発光素子群９の内周部の特別当選発光素子Ｌ０の位置へ一旦移行して、再び縦長楕円環状の軌跡を描いて周回走行するという、一連の点灯動作が創り出される。
【００５６】
また、制御装置２９は、このルーレット動作の開始を指示すると共に、特別当選モードの実行時には特別当選発光素子Ｌ０を、一等当選モードの実行時には一等当選発光素子Ｌ１，Ｌ２のいずれか一方を、二等当選モードの実行時には二等当選発光素子Ｌ３，Ｌ４のいずれか一方を、三等当選モードの実行時には三等当選発光素子Ｌ５〜Ｌ８のいずれか１つを、又は、通常モードの実行時には通常発光素子ＬＮのいずれか１つを、そのルーレット動作で最終点灯するようにルーレット駆動装置２８に対して指示する。
【００５７】
そして、制御装置２９によって指示されたいずれか１つの発光素子Ｌが最終点灯されることで、１回分のルーレット動作が終了する。このとき最終点灯された発光素子Ｌが通常発光素子ＬＮである場合、制御装置２９が通常モードに対応する貸出枚数をメダル貸出処理装置２４に対して指示し、この指示を受けたメダル貸出処理装置２４が、１枚の硬貨の金額価値に相当する貸出枚数（例えば１０枚）のメダルを、スロットマシン５０のメダル受け皿５９へと供給する。
【００５８】
一方、最終点灯された発光素子Ｌが特別当選発光素子Ｌ０、一等当選発光素子Ｌ１，Ｌ２、二等当選発光素子Ｌ３，Ｌ４、又は、三等当選発光素子Ｌ５〜Ｌ８である場合、制御装置２９は、貸出倍率メモリ２６に記憶されている各当選倍率値に基づいて特別当選モード、一等当選モード、二等当選モード、又は、三等当選モードに対応する貸出枚数をメダル貸出処理装置２４に対して指示する。
【００５９】
すると、この指示を受けたメダル貸出処理装置２４は、特別当選モードの場合に通常モードの３５倍、一等当選モードの場合に通常モードの１５倍、二等当選モードの場合に通常モードの５倍、又は、三等当選モードの場合に通常モードの３倍の貸出枚数のメダルをメダル貸出処理装置２４からスロットマシン５０のメダル受け皿５９へと供給するのである。
【００６０】
以上、実施例に基づき本考案を説明したが、本考案は上記実施例に何ら限定されるものではなく、本考案の趣旨を逸脱しない範囲内で種々の改良変形が可能であることは容易に推察できるものである。
【００６１】
例えば、本実施例では、特別当選発光素子Ｌ０が赤色、一等当選発光素子Ｌ１，Ｌ２が青色、二等当選発光素子Ｌ３，Ｌ４が橙色、三等当選発光素子Ｌ５〜Ｌ８が黄色、及び、普通発光素子が緑色で発光するように構成したが、これらの各発光素子の発光色は必ずしもこれらの組合せに限定されるものではなく、各当選発光素子と普通発光素子との発光色を相互に入れ替えたり、或いは、これらとは別の発光色を採用するようにしても良い。
【００６２】
また、本実施例では、ルーレット盤６の各発光素子Ｌの点灯パターンが、環状発光素子群９を一周した後に特別当選発光素子Ｌ０を点灯する一連の点灯動作を繰り返し行うものであったが、かかる点灯パターンは必ずしもこれに限定されるものではなく、例えば、一等当選モード、二等当選モード、三等当選モード若しくは通常モードにおけるルーレット動作においては特別当選発光素子を終始点灯させずにおき、なおかつ、特別当選モードのルーレット動作においてもその開始時から終了直前までは特別当選発光素子を一切点灯させずにおき、特別当選モードのルーレット動作の終了時点でのみ特別当選発光素子が点灯されるようにしても良い。
【００６３】
また、本実施例では、特別当選モードの最終時点において特別当選発光素子Ｌ０を単に点灯するものであったが、かかる特別当選モードの最終時点における発光素子の点灯パターンはこれに限定されるものではなく、例えば、特別当選発光素子を点灯させることに付け加えて、更に、他の全発光素子を同時に連続点滅させるようにしても良い。
【００６４】
また、本実施例では、特別当選モードの最終時点においてその発生を利用者に報知する手段として特別当選発光素子Ｌ０を特別に設けたが、例えば、特別当選発光素子を環状発光素子群とは別に設けずとも、特別当選モードの最終時点においては環状発光素子群の全ての発光素子を連続点滅させることで特別当選モードの発生を利用者に報知するようにしても良い。
【００６５】
また、本実施例では、特別当選発光素子Ｌ０の配設位置が環状発光素子群９の内周部中央位置であったが、かかる特別当選発光素子の配設位置は必ずしもこれに限定されるものではなく、例えば、環状発光素子群の上部に特別当選発光素子を配設したりするなど、利用者に対してより目立つ位置に特別当選発光素子を配設するようにしても良い。また、特別当選発光素子Ｌ０の個数は必ずしも１個に限定されるものではなく、例えば、ルーレット盤に特別当選発光素子を２個以上配設するようにしても良い。
【００６６】
また、本実施例では、遊技機としてスロットマシンを、遊技媒体としてメダルを、有価媒体として硬貨を、それぞれ例に説明したが、遊技機、遊技媒体及び有価媒体は必ずしもこれらに限定されるものではなく、遊技機がパチンコ機などであっても良く、遊技媒体がパチンコ玉（遊技球）などであっても良く、有価媒体が紙幣やプリペイドカードなどであっても良い。
【００６７】
また、本実施例では、図３において当選確率メモリ２５及び貸出倍率メモリ２６に記憶されている当選確率及び貸出倍率として具体的数値を示して説明したが、これらの各メモリに記憶される具体的数値は必ずしもこれに限定されるものではなく、他の数値を用いても良い。
【図面の簡単な説明】
【００６８】
【図１】本考案の一実施例である台間貸出機を備えたスロットマシンの配置状態を示す正面図である。
【図２】台間貸出機の拡大正面図である。
【図３】台間貸出機の筐体内に配設される電気的構成を示すブロック図である。
【符号の説明】
【００６９】
１                    台間貸出機（遊技媒体貸出装置）
２                    筐体
２ａ                  前面部
３                    コイン投入口（投入口）
６                    ルーレット盤（ルーレット装置）
９                    環状発光素子群
２２                  価値判定装置
２３                  投入カウンタ
２４                  メダル貸出処理装置（貸出処理装置）
２５                  当選確率メモリ（確率記憶装置）
２７                  設定変更装置
２８                  ルーレット駆動装置
２９                  制御装置
Ｌ                    発光素子（発光素子）
Ｌ０                  特別当選発光素子（発光素子）
Ｌ１〜Ｌ８            当選発光素子
Ｌ１，Ｌ２            一等当選発光素子（上下一対の発光素子）
Ｌ３，Ｌ４            二等当選発光素子（左右一対の発光素子）
【図１】
0003119560.tif 000003
【図２】
0003119560.tif 000004
【図３】
0003119560.tif 000005